(57)【要約】【課題】  ユーザーが検索したキーワードにマッチングさせた広告を、検索結果のＷＷＷ文書に組み込んでＷＷＷ表示窓に表示した場合、ユーザーが検索結果から一のリンクを選択すると、ＷＷＷ表示窓では検索結果のＷＷＷ文書が消されてリンク先のＷＷＷ文書が表示されるようになる。このため広告は、検索結果のＷＷＷ文書と共に表示が消されてしまう。そこで検索結果のＷＷＷ文書をリンク先のＷＷＷ文書に書き換えたとしても、広告は消さずに表示し続けるようにして、広告効果を可能な限り持続させたい。【解決手段】  検索結果のＷＷＷ文書を表示するＷＷＷ表示窓とは別に、広告の情報リンクを表示するティッカ表示窓を備えるようにした。ユーザーが検索結果から一のリンクを選択することによって、ＷＷＷ表示窓の表示が検索結果のＷＷＷ文書からリンク先のＷＷＷ文書に書き換わったとしても、ティッカ表示窓の情報リンクは書き換わることなく表示が継続されるようになる。【選択図】図１
2011187038.tif 000002
【特許請求の範囲】
【請求項１】
ネットワーク環境と、クライアントから送信されるキーワードを以てＷＷＷ検索を行うＷＷＷ検索部と、前記キーワードに関連する情報リンクを生成する情報リンク生成部と、を備えて、前記ＷＷＷ検索による検索結果と前記情報リンクとを前記クライアントへ送信する情報サーバと、前記情報サーバから受信する前記検索結果と前記情報リンクとに関して、前記検索結果を表示画面のＷＷＷ表示窓に表示するＷＷＷ表示部と、前記情報リンクを前記表示画面のティッカ表示窓にティッカ表示するティッカ表示部と、を備える前記クライアントと、から成ることを特徴とする情報システム。
【請求項２】
ネットワーク環境と、クライアントから送信されるキーワードを以てＷＷＷ検索を行うＷＷＷ検索部と、前記キーワードに関連する情報リンクを生成する情報リンク生成部と、を備えて、前記ＷＷＷ検索による検索結果と前記情報リンクとを含んだＷＷＷ文書を生成して、該ＷＷＷ文書を前記クライアントへ送信する情報サーバと、前記ＷＷＷ文書を受信して、該ＷＷＷ文書を表示画面のＷＷＷ表示窓に表示するＷＷＷ表示部と、前記ＷＷＷ文書から前記情報リンク部分を抽出して前記表示画面のティッカ表示窓にティッカ表示するティッカ表示部と、を備える前記クライアントと、から成ることを特徴とする情報システム。
【請求項３】
前記クライアントは、前記ティッカ表示窓を前記ＷＷＷ表示窓の中にアドオン表示するものであることを特徴とする、請求項１または請求項２に記載の情報システム。
【請求項４】
前記クライアントは、前記ＷＷＷ表示窓中のＵＲＬ入力窓を表示する場所を前記ティッカ表示窓を表示する場所に設定し、前記情報リンクを受信したら前記ＵＲＬ入力窓を同じ場所で前記ティッカ表示窓に書き換える処理を行うものであることを特徴とする、請求項３に記載の情報システム。
【請求項５】
前記クライアントは、前記ＷＷＷ表示窓中に前記情報サーバへキーワードを送信するためのキーワード入力窓を設けると共に、該キーワード入力窓を表示する場所を前記ティッカ表示窓を表示する場所に設定し、前記情報リンクを受信したら前記キーワード入力窓を同じ場所で前記ティッカ表示窓に書き換える処理を行うものであることを特徴とする、請求項３に記載の情報システム。
【請求項６】
前記クライアントは、前記表示画面中に於いて前記ティッカ表示窓を前記ＷＷＷ表示窓の外に表示するものであることを特徴とする、請求項１または請求項２に記載の情報システム。
【請求項７】
前記クライアントは、前記ティッカ表示部を前記表示画面中にフローティング表示するものであることを特徴とする、請求項１または請求項２に記載の情報システム。
【請求項８】
前記クライアントは、前記ＷＷＷ表示窓中でポインティングデバイスを用いた範囲指定操作に続いてポインティングデバイスによるクリック操作が行なわれたら、該クリック操作が、前記範囲指定操作によって指定された指定範囲内にあるか否かを判定して、前記指定範囲内にあると判定した場合には該指定範囲内のデータをキーワードとして前記情報サーバへ送信するものであることを特徴とする、請求項１または請求項２に記載の情報システム。
【請求項９】
クライアントが接続するネットワーク環境に接続して、前記クライアントから受信するＷＷＷ検索に使用するキーワードを以てＷＷＷ検索部がＷＷＷ検索を行うステップと、情報リンク生成部が前記キーワードに関連する情報リンクを生成するステップと、前記ＷＷＷ検索による検索結果を、前記クライアントのＷＷＷ表示部が表示画面に表示するＷＷＷ表示窓に表示させるべく前記ＷＷＷ表示部に宛て送信するステップと、これとは別に前記情報リンクを、前記クライアントのティッカ表示部が前記表示画面に表示するティッカ表示窓に表示させるべく前記ティッカ表示部に宛て送信するステップと、を含むことを特徴とする情報提供方法。
【請求項１０】
情報サーバが接続するネットワーク環境に接続して、前記情報サーバがＷＷＷ検索に使用するキーワードを前記情報サーバへ送信するステップと、前記情報サーバから送信される、前記ＷＷＷ検索による検索結果と前記キーワードに関連して生成された情報リンクとを含んだＷＷＷ文書、を受信して表示画面のＷＷＷ表示窓に表示するステップと、前記ＷＷＷ文書から前記情報リンク部分を抽出して前記表示画面のティッカ表示窓にティッカ表示するステップと、を含むことを特徴とする情報表示方法。
【請求項１１】
前記クライアントは、前記ＷＷＷ表示窓中でポインティングデバイスを用いた範囲指定操作に続いてポインティングデバイスを用いたクリック操作が行なわれたら、該クリック操作が、前記範囲指定操作によって指定された指定範囲内にあるか否かを判定するステップと、前記指定範囲内にあると判定した場合には該指定範囲内のデータをキーワードとして前記情報サーバへ送信するステップと、を含むことを特徴とする請求項１０に記載の情報表示方法。
【発明の詳細な説明】
【技術分野】
【０００１】  この発明は、ＷＷＷ検索の際に用いたキーワードを調べてこれに関連する情報リンクを作り、この情報リンクを、ＷＷＷ検索の検索結果を表示するＷＷＷ表示窓とは別に設けたティッカ表示窓にティッカ表示するようにしたことを特徴とする情報システム、情報提供方法及び情報表示方法に関する。
【背景技術】
【０００２】  クライアントがＷＷＷの検索サーバにキーワードを送ってＷＷＷ検索を行い、この検索結果をクライアントに返してＷＷＷ表示窓に表示すると言うことが行われている。ＷＷＷ表示窓とは一般的にＷＷＷブラウザのことであるが特別に設計されたものも含まれる。またこのＷＷＷ検索の際に用いたキーワードを調べてこれに関連する情報リンクを作り、この情報リンクを前記検索結果と共にクライアントに返してＷＷＷ表示窓に表示すると言うことが行われている。情報リンクの一例としてキーワードにマッチングさせた宣伝広告を上げる。【０００３】  これはいわゆる検索連動型広告と言うものであり、ユーザーが検索したキーワードにマッチングした広告を検索結果のＷＷＷ文書に組み込んだものである。このような技術は現在では一般化しているため煩雑となるのを避けてその詳細な説明を省略するが、特表２００５−５２１９７１が参考になる。【０００４】  なお情報リンクはキーワードに関連する宣伝広告に限られず、アーカイブされたニュースや書籍や動画などにガイドするために提供するリンク情報である場合がある。また広い意味ではキーワードのＷＷＷ検索の検索結果を含んでいる場合がある。
【先行技術文献】
【特許文献】
【０００５】
【特許文献１】特表２００５−５２１９７１「広告の支出に比例した有料検索表の表示」オーバーチュア  サービシズ  インコーポレイテッド
【発明の概要】
【発明が解決しようとする課題】
【０００６】  確かにユーザーが検索したキーワードにマッチングした広告を検索結果のＷＷＷ文書に組み込んで表示すると、広告効果が上がることが明かになっている。しかしながらユーザーが検索結果から一のリンクを選択すると、ＷＷＷ表示窓にはこのリンク先のＷＷＷ文書が表示されてしまい、そこには前記広告は表示されていない。すなわち検索結果のＷＷＷ文書は完全にリンク先のＷＷＷ文書に書き換えられてしまい、ここでは検索結果のＷＷＷ文書は跡形もなく、前記広告が表示されていないのは当然のことである。【０００７】  前記広告が有効であるならば、リンク先のＷＷＷ文書を表示しても、その広告は消えずに表示し続けることが望ましい。確かに履歴を頼りに前記検索結果に戻れば前記広告の表示にも戻ることは可能ではあるが、ＷＷＷではネットサーフィンと呼ばれる通り次々とリンクを辿って先へ先へと進むことが多く、検索結果のＷＷＷ文書は何代も後に追いやられ、前記検索結果からはどんどん遠ざかってしまうのが実際である。なおこの間にもユーザーは先に用いたキーワードに対する関心を失ってはいないことが多い。【０００８】  従ってこのような問題を解決して、広告効果を可能な限り持続させることがこの発明の課題である。
【課題を解決するための手段】
【０００９】  上記課題は請求項１の発明では、ネットワーク環境と、クライアントから送信されるキーワードを以てＷＷＷ検索を行うＷＷＷ検索部と、前記キーワードに関連する情報リンクを生成する情報リンク生成部と、を備えて、前記ＷＷＷ検索による検索結果と前記情報リンクとを前記クライアントへ送信する情報サーバと、前記情報サーバから受信する前記検索結果と前記情報リンクとに関して、前記検索結果を表示画面のＷＷＷ表示窓に表示するＷＷＷ表示部と、前記情報リンクを前記表示画面のティッカ表示窓にティッカ表示するティッカ表示部と、を備える前記クライアントと、から成ることを特徴とする情報システム、とすることにより解決している。【００１０】  情報サーバはキーワードに係る検索結果と情報リンクとをクライアントに送信する。ここで重要なのは、クライアントでは検索結果をＷＷＷ表示窓に表示するが、情報リンクはＷＷＷ表示窓に表示するのではなく（表示しても構わないのであるが）、情報リンクはティッカ表示窓にティッカ表示するようにしている点である。従ってユーザーが検索結果から一のリンクを選択すると、ＷＷＷ表示窓の表示はリンク先のＷＷＷ文書に完全に書き換わってしまうが、ティッカ表示窓の情報リンクは書き換わることなく表示が持続される。上述のように更にネットサーフィンが繰り返されたとしても、情報リンクのティッカ表示窓での表示はそのまま継続される点が重要である。これにより所期の目的が達成される。【００１１】  また上記課題は請求項２の発明では、ネットワーク環境と、クライアントから送信されるキーワードを以てＷＷＷ検索を行うＷＷＷ検索部と、前記キーワードに関連する情報リンクを生成する情報リンク生成部と、を備えて、前記ＷＷＷ検索による検索結果と前記情報リンクとを含んだＷＷＷ文書を生成して、該ＷＷＷ文書を前記クライアントへ送信する情報サーバと、前記ＷＷＷ文書を受信して、該ＷＷＷ文書を表示画面のＷＷＷ表示窓に表示するＷＷＷ表示部と、前記ＷＷＷ文書から前記情報リンク部分を抽出して前記表示画面のティッカ表示窓にティッカ表示するティッカ表示部と、を備える前記クライアントと、から成ることを特徴とする情報システム、とすることによって解決している。【００１２】  検索結果と情報リンクとを含んだＷＷＷ文書はＷＷＷ表示窓に表示されるため、ここまでは従来通りであるが、請求項２の発明に特徴的なのはＷＷＷ文書から情報リンク部分を抽出する点と、この情報リンクをティッカ表示窓にティッカ表示するようにしている点とである。従ってこの発明でも、ＷＷＷ表示窓の表示が書き換わったとしてもティッカ表示窓の情報リンクは書き換わることなく表示が継続されるため、所期の目的が達成される。【００１３】  さてティッカ表示窓でティッカ表示される情報リンクの数は一または複数個であるが、複数個の場合その各々は別々のリンク先を指すのが一般的である。この何れか一を選択させるにはマウスなどのポインティングデバイスを利用するように設計すると良い。【００１４】  なおティッカ表示窓の表示をいつまで継続するかであるが、少なくとも次の新たなキーワードでＷＷＷ検索が行われて新たな検索結果が返されるまでは、前回の広告表示を継続するようにすると良い。この他にも情報リンクのティッカ表示を始めてから一定時間後にこのティッカ表示を止めるように設定したり、別途マウスなどで操作するスイッチをティッカ表示窓の近くに表示して、これが押されたらティッカ表示を止めるように設定するなど、任意設計が可能である。或いはクライアントによるキーワード送信の有無に関わらず、情報サーバ側が例えば災害等の緊急報知に係る情報リンクをクライアントへプッシュし得るような機能を加えても良い。【００１５】  なおティッカ表示としては文字をスクロールさせて（流すようにして）表示するものや、ティッカ表示領域に一度に表示し得るボリュームの文字列を一定時間停止させて表示し、その後、後続の別内容の文字列に切り替えて表示するものなどが一般的である。またティッカ表示では１度だけ流れるように表示させたり、１度ループさせてからループを抜けるように表示させたり、エンドレスでループさせたりするなどと、任意に設定することが出来る。また複数の情報リンクをティッカ表示するに当っては、情報リンク間の間隔を情報リンクの多少や詰り具合や空き具合等で自動調節するなど、自由な設定が可能なのもティッカ表示ならではである。表示する情報リンクの形態は文字に限られず、静止画やフラッシュ（商標）などによる動画のアイコンとしてクリッカブルにティッカ表示するものであってもよい。この場合に情報サーバは情報リンクに画像情報や動画情報を含めることが出来る。イメージは広告などの内容を端的に表すものとして利用価値がより高い。また文字の場合にティッカ表示する文字列はアニメーションで表示するようにしても良い。【００１６】  ただでさえ狭いと感じられる表示画面であるからＷＷＷ表示窓は出来るだけ広くして使いたいとする要望が多いが、ティッカ窓は殆ど場所を取らずに、また従来では納め切れないほどの極めて多くの情報を表示するのに実に都合が良いものである。すなわちティッカ表示された情報リンクによればバナー広告やテキスト広告を置くよりもずっとずっと多くの情報を、限られた表示領域に掲載することが可能である。そしてこの情報リンクからＷＷＷ表示窓（一般的にＷＷＷブラウザ）を用いて更に情報量の豊富な告知情報を得ることが出来るのである。【００１７】  このような請求項１、２の発明のティッカ表示窓は、ＷＷＷ表示窓の中にアドオン表示することが出来る。例えば一般的なＷＷＷブラウザではＵＲＬ入力窓やメニューバーやステータスバーを設けている場所があるが、このような場所にティッカ表示窓をアドオン表示するようにすると便利である。【００１８】  前記アドオン表示するものに関して、ＵＲＬ入力窓を表示する場所をティッカ表示窓を表示する場所に設定し、情報リンクを受信したらこのＵＲＬ入力窓を同じ場所でティッカ表示窓に書き換えるようにすることが出来る。するとＵＲＬ入力窓とティッカ表示窓が同じ場所を状況に応じて使い分けるため、場所を取ることがなくなる。なおＵＲＬ入力窓をティッカ表示窓に書き換えるには、例えばＷＷＷ検索が実行されて検索結果が返されたら行うようにする。逆にティッカ表示窓をＵＲＬ入力窓に書き戻すには、例えば情報リンクのティッカ表示を始めてから所定の時間が経過したら、或いは���ウスなどで操作するスイッチをティッカ表示窓の近くに表示してこれが押されたら、或いはティッカ表示窓の情報リンク以外のリンクとして動作しない部位がマウスなどで指示されたら、などと設計すれば良い。なおティッカ表示窓が表示されている内は、次の新たなキーワードでＷＷＷ検索を行って新たな検索結果が返されるまでは前回の広告表示を継続するようにすると良い。【００１９】  また前記アドオン表示するものに関して、ＷＷＷ表示窓中に情報サーバへキーワードを送信するためのキーワード入力窓を設けると共に、このキーワード入力窓を表示する場所をティッカ表示窓を表示する場所に設定し、情報リンクを受信したらキーワード入力窓を同じ場所でティッカ表示窓に書き換えるようにすることが出来る。これは上述したＵＲＬ入力窓ではなく、新たに設定したキーワード入力窓をティッカ表示窓に書き換え、またキーワード入力窓に書き戻すと言うものである。なおキーワード入力窓に書き戻す処理に付いては上述のＵＲＬ入力窓に書き戻す処理が参考になる。【００２０】  次に請求項１、２の発明のティッカ表示窓に関し、これを表示画面中のＷＷＷ表示窓の外に表示することが出来る。従ってＷＷＷ表示窓の中をティッカ表示窓が隠すようなことがない。【００２１】  また請求項１、２の発明のティッカ表示窓に関し、これを表示画面中にフローティング表示することが出来る。例えばＷＷＷ表示窓を全画面表示する場合であってもティッカ表示窓が隠されることがない。またティッカ表示窓をＷＷＷ表示窓中に限定してフローティング表示する場合には、その表示位置を可変とすると便利である。なおこれ等のフローティング表示の透過度を可変とする設計も可能である。【００２２】  次に請求項１、２の発明のクライアントに関して、前記ＷＷＷ表示窓中でポインティングデバイスを用いた範囲指定操作に続いてポインティングデバイスによるクリック操作が行なわれたら、このクリック操作が範囲指定操作によって指定された指定範囲内にあるか否かを判定して、指定範囲内にあると判定した場合には指定範囲内のデータをキーワードとして前記情報サーバへ送信するものとすることが出来る。【００２３】  当発明者は、調べたい言葉の多くがいま読んでいる文中にある、と言う知見を得た。多くの場合現に読んでいるものから検索語を引いて来る傾向があるからである。従っていま読んでいる文中に調べたい言葉を見つけた場合には、それをそのままキーワードとして前記情報サーバへ送信することが出来れば便利である。そこでキーワードとしたい文字列を範囲指定して、その指定範囲内をクリック操作するだけで送信出来るようにした。これによればハイパーリンクをクリックするのに似た操作性となることから、ユーザーのこれまでのハイパーリンクに関する習熟を活かすことが出来ると言う利点がある。これは当発明者によって特願平１０−３２００５５、特願平１０−３７７２０５などとして出願されて以来、継続的に研究してきたことをこの発明に適用したものである。このように良好な操作性を実現したソフトウェアは、現在当発明者のホームページ［ｈｔｔｐ：／／ｗｗｗ．ｅｓｔａｂｌｉｎｋ．ｃｏｍ］で公開されているが、現在に至ってもなお他では見られないものである。【００２４】  さてキーワードに関連して生成される情報リンクが広告の場合、情報リンク生成部のために一例として次のような関係表を用意しておく。すなわちＷＷＷ検索に使用されるキーワードとのマッチングを取るためであり且つ広告主が広告を付与したいと希望するトピックと、釣り文と、広告に導くためのアドレス情報とを一組として、複数のトピックを並べた一覧表を用意しておく。そして情報リンク生成部はこの一覧表を調べて、キーワードとのマッチングが成立するか否かを一覧表の中の全てのトピックに対して判断する処理を行い、キーワードとのマッチングが成立したトピックに付き広告主の広告に導くためのアドレス情報から情報リンクを生成する。このようにして生成された情報リンクには、釣り文と、広告に導くためのアドレス情報とが含まれるが、この情報リンクはこの釣り文がクライアントのティッカ表示窓でマウスやリモコンなどによって選択された時に、広告主のＷＷＷ文書にアクセスすることが出来るようにするために、ハイパーリンク形式で記述される。なお上述したように情報リンクは広告に限られず、例えばアーカイブされたニュースや書籍や動画などにガイドするために提供するリンク情報である場合がある。【００２５】  なおＷＷＷ表示窓の表示が書き換わったとしてもティッカ表示窓の情報リンクは書き換わることなく表示が継続される、とは言うものの上述のようにいつかは情報リンクも書き換わる。これに付いてユーザーが既に表示が終わった情報リンクを再度確認したいとする場合に備えて、クライアントが情報リンクを記憶しておき、後からこれを読み出して表示出来るようにしておくことは、ユーザー側にとっても、情報リンクを何度でも確認してもらいたいとする情報サーバ側にとっても好ましいことである。
【発明の効果】
【００２６】  この発明によれば、検索結果のＷＷＷ文書を表示するＷＷＷ表示窓とは別に、情報リンクを表示するティッカ表示窓を備えることで、ユーザーが検索結果から一のリンクを選択することによってＷＷＷ表示窓の表示が書き換わったとしても、ティッカ表示窓の情報リンクは書き換わることなく表示が継続されるようになり、この回のＷＷＷ検索に係る情報リンクにアクセスさせ得る期間を可能な限り持続することが出来るようになったのは画期的なことである。従ってこの発明の産業に及ぼす経済効果には計り知れないものがある。
【図面の簡単な説明】
【００２７】
【図１】  第１実施形態の情報システムの説明図である。
【図２】  クライアント側の表示画面を表す説明図である。
【図３】  情報リンクファイルの生成処理の説明図である。
【図４】  生成された情報リンクファイルの説明図である。
【図５】  情報サーバ側での処理工程を表す説明図である。
【図６】  クライアント側での処理工程を表す説明図である。
【図７】  第２実施形態の情報システムの説明図である。
【図８】  クライアント側の表示画面を表す説明図である。
【図９】  情報サーバ側での処理工程を表す説明図である。
【図１０】  クライアント側での処理工程を表す説明図である。
【図１１】  第３実施形態のクライアント側の表示画面の推移を表す説明図である。
【図１２】  クライアント側での処理工程を表す説明図である。
【図１３】  第４実施形態のクライアント側の表示画面の推移を表す説明図である。
【図１４】  クライアント側での処理工程を表す説明図である。
【図１５】  第５実施形態のクライアント側の表示画面を表す説明図である。
【図１６】  クライアント側での処理工程を表す説明図である。
【図１７】  第６実施形態のクライアント側の表示画面を表す説明図である。
【図１８】  第７実施形態のクライアント側の表示画面を表す説明図である。
【発明を実施するための形態】
【第１実施形態】
【００２８】  図１乃至図６を用いてこの実施形態を説明する。この実施形態では情報リンクの一である広告リンクを取り扱っている。検索サーバ１とクライアント２とはネットワーク環境としてのインターネット３で接続されている。
【００２９】  検索サーバ１は、ＷＷＷ検索を行うためのインデックス１１を含むＷＷＷ検索部１０と、広告の情報リンクすなわち広告リンクを生成するための登録リンク表１３を含む広告リンク生成部１２とを備えている。インデックス１１はＷＷＷ検索に一般的に用いられているいわばキーワードとＷＷＷのＵＲＬとの対応表である。また登録リンク表１３は、特定のキーワード（トピック）に対して広告を付けたいとする広告主が登録したＷＷＷのアドレス情報４４とこのキーワードとの対応表である。ＷＷＷ検索がインデックス１１を用いるのに対して広告リンク生成が登録リンク表１３を用いている点で、広告リンク生成はＷＷＷ検索に類似したものであると言うことが出来る。
【００３０】  クライアント２は、表示画面２００に表示するＷＷＷブラウザ２０１にＷＷＷ文書を表示するためのＷＷＷ表示部２０と、前記広告リンクを表示するためだけに用いられるティッカ表示部２１とを備えている。ＷＷＷブラウザ２０１には、検索サーバ１がユーザーからキーワードを受け付けるためのキーワード入力窓を設けたキーワード入力ページや、その検索結果を表示する検索結果ページや、検索結果から選択された一のリンク先のＷＷＷ文書などが表示される。ティッカ表示部２１は広告リンクをティッカ表示する。この広告リンクと前記検索結果のリンクとは別物である。このことを図１ではＷＷＷ検索部１０からＷＷＷ表示部２０宛に送信される検索結果と、広告リンク生成部１２からティッカ表示部２１宛に送信される広告リンクとに別けて図示している。また図２では前記検索結果の表示場所と広告リンクの表示場所とを、ＷＷＷブラウザ２０１と、このＷＷＷブラウザ２０１のツールバー２０３の部位にアドオン表示されたティッカ表示窓２０４とに別けて図示している。
【００３１】  次にこの実施形態の動作を図３乃至図６を用いて説明する。検索サーバ１に於いて、クライアント２からインターネット３を介して文字列のキーワード４０を受信すると（ステップＳ１０）、ＷＷＷ検索部１０がＷＷＷ検索用のインデックス１１を用いてこのキーワード４０でＷＷＷ検索を行って検索結果のＷＷＷ文書を作成する（ステップＳ１１）。またこの際にキーワード４０は広告リンク生成部１２に渡される。この広告リンク生成部１２ではキーワード４０を、図３で模式的に登録リンクファイル４１として表す所の登録リンク表１３に突き合わせて、両者のマッチングを調べてティッカ表示用の広告リンクファイル４６を生成する（ステップＳ１２）。そして検索サーバ１は検索結果のＷＷＷ文書と、これとは別に生成した広告リンクファイル４６とを、クライアント２のそれぞれの表示部に宛て送信する（ステップＳ１３）。
【００３２】  なおステップＳ１２では、キーワードファイル４のキーワード４０が登録リンクファイル４１の、トピックとしてのキーワード４２の欄に存在しているか否かを調べている。図３の例示では広告の出稿者がＵＲＬのアドレス情報４３として表されている。広告の出稿者は、ユーザーがどのようなキーワード４２を用いてＷＷＷ検索を行ったら、釣り文としての見出し４４をクリッカブルに提示してアドレス情報４３が指し示す自己の広告サイトにアクセスしてもらいたいかを、登録リンクファイル４１に記載するように検索サーバ１側に要望しておくのである。この際に検索サーバ１側ではその希望のキーワード４２に高値を付けた順に順位４５を付与しておく。図３の例示ではキーワード４２に出稿者３者のヒットするものがある。ここでは広告リンク生成部１２が順位１番のものをピックアップして、図４で例示する広告リンクファイル４６に書き込んでいる。広告リンクファイル４６はＨＴＭＬで記載されており、ここに順位１番の出稿者のアドレス情報４３がハイパーリンクとして、また釣り文が見出し４４として書き込まれている。従ってこの見出し４４すなわち釣り文が前記ティッカ表示部２０４にマウスでクリッカブルに且つ右から左へスクロールするようにティッカ表示される。この様子を表す図２中で符号２０６はマウスポインタを指す。なお順位１番のものだけを広告リンクファイル４６に書き込むと言う規則を例示したが、例えばキーワード４２がヒットした全ての出稿者のものを順位４５順に表示するように書き込む、などとした規則を自由に採用して良い。
【００３３】  クライアント２に於いて、検索サーバ１からインターネット３を介して検索結果のＷＷＷ文書と広告リンクファイル４６とを受信すると（ステップＳ２０）、この内の検索結果のＷＷＷ文書をＷＷＷブラウザ２０１に表示し（ステップＳ２１）、またこの内の広告リンクファイル４６をティッカ表示窓２０４にティッカ表示する（ステップＳ２２）。図２ではＷＷＷブラウザ２０１の部分に検索結果２０２が表示されており、ティッカ表示窓２０４の部分には前記見出し４４が広告リンク２０５としてティッカ表示されている。
【００３４】  ここで重要な点は、ＷＷＷブラウザ２０１では検索結果２０２から一のハイパーリンク２３６が選択されることによって、ＷＷＷブラウザ２０１はその表示をリンク先のＷＷＷ文書に書き換えるが、ティッカ表示窓２０４では前記広告リンク２０５のティッカ表示を継続すると言う点である。
【第２実施形態】
【００３５】  図７乃至図１０を用いてこの実施形態を説明する。この実施形態でも情報リンクの一である広告リンクを取り扱っている。検索サーバ１４とクライアント２２とはネットワーク環境としてのインターネット３で接続されている。
【００３６】  検索サーバ１４は、ＷＷＷ検索を行うためのインデックス１６を含むＷＷＷ検索部１５と、広告の情報リンクすなわち広告リンクを生成するための登録リンク表１８を含む広告リンク生成部１７とを備えている。インデックス１６や登録リンク表１８は上述した第１実施形態のインデックス１１や登録リンク表１３と同様の処理に用いられる。
【００３７】  クライアント２２は、表示画面２００に表示するＷＷＷブラウザ２０１にＷＷＷ文書を表示するためのＷＷＷ表示部２３と、前記広告リンクを表示するためだけに用いられるティッカ表示部２４とを備えている。このティッカ表示部２４は表示画面２００に表示するティッカ表示窓２０４に広告リンクをティッカ表示する。また前記ＷＷＷブラウザ２０１には検索結果を表示する検索結果ページなどが表示されるが、この実施形態では検索結果表示部２０７と広告リンク表示部２０８とを左右に欄を別けて表示する点に特徴を有する。
【００３８】  次にこの実施形態の動作を図９及び図１０を用いて説明する。検索サーバ１４に於いて、クライアント２２からインターネット３を介して文字列のキーワードを受信すると（ステップＳ３０）、ＷＷＷ検索部１５がＷＷＷ検索用のインデックス１６を用いてこのキーワードでＷＷＷ検索を行う（ステップＳ３１）。またこの際に前記キーワードが広告リンク生成部１７に渡されると、広告リンク生成部１７は、上述した第１実施形態と同様にキーワードを登録リンク表１８に突き合わせて両者のマッチングを調べる（ステップＳ３２）。そして検索サーバ１４は、ＷＷＷ検索部１５による検索結果と広告リンク生成部１７が生成した広告リンクとを一つのＷＷＷ文書にまとめて、クライアント２２に送信する（ステップＳ３３）。この一つにまとめたＷＷＷ文書はＷＷＷブラウザ２０１には、図８で図示するように表示される。これは検索機能を提供しているいわゆるポータルサイトで行われていることである。
【００３９】  クライアント２２に於いて、検索サーバ１４からインターネット３を介して、検索結果と広告リンクとを一つにまとめたＷＷＷ文書を受信すると（ステップＳ４０）、このＷＷＷ文書から広告リンク部分を抽出し（ステップＳ４１）、広告リンク部分を抽出する前のＷＷＷ文書をＷＷＷブラウザ２０１に表示し（ステップＳ４２）、また前記抽出した広告リンク部分をティッカ表示窓２０４にティッカ表示する（ステップＳ４３）。このことを図７で、検索サーバ１４に於いて検索結果に広告リンクが合成されて生成されたＷＷＷ文書が、インターネット３を介してクライアント２２に受信され、クライアント２２に於いてこのＷＷＷ文書から再び広告リンクが抽出されるものとして表した。すなわち広告リンクは単独ではインターネット３上を電送されない。図８では、ＷＷＷブラウザ２０１の表示画面を、左側の検索結果表示部２０７と右側の広告リンク表示部２０８とに欄を別けて表示した状態を表した。広告リンク部分の抽出にはこの欄を判別させるなどとすれば良い。また上述のようにして抽出された広告リンク２０５を、これのみを専用に表示するためのティッカ表示窓２０４に表わした。なおＷＷＷブラウザ２０１の右側の欄に表示されている広告リンク２０９と、ティッカ表示窓２０４でティッカ表示されている広告リンク２０５とは、同じ広告主の広告に係るものであることは、上述した抽出処理から明らかである。
【００４０】  ここで重要な点は、ＷＷＷブラウザ２０１では検索結果表示部２０７から一のハイパーリンク２３６がマウスポインタ２０６で選択されることによって、ＷＷＷブラウザ２０１はその表示をハイパーリンク２３６が指すリンク先のＷＷＷ文書に書き換えるが、ティッカ表示窓２０４では前記広告リンク２０５のティッカ表示を継続すると言う点である。
【００４１】  またＷＷＷブラウザ２０１の右側の欄の広告リンク表示部２０８に表示されている広告リンク２０９がマウスポインタ２０６で選択されると、広告主の広告に表示換えされ、これはこれで従来通りなのであるが、ここから先へ更にネットサーフィンが行われたとしても、ティッカ表示窓２０４では前記広告リンク２０５のティッカ表示を継続することになる。従ってティッカ表示窓２０４の広告効果は長く続くのである。
【第３実施形態】
【００４２】  図１１及び図１２を用いてこの実施形態を説明する。この実施形態のクライアントは、ＷＷＷブラウザのＵＲＬ入力窓２１０を表示する場所をティッカ表示窓２１１を表示する場所に設定している。
【００４３】  クライアントは、検索サーバから広告リンクファイルを受信したら（ステップＳ５０）、ＵＲＬ入力窓２１０をその場所でティッカ表示窓２１１に書き換え（ステップＳ５１）、このティッカ表示窓２１１に広告リンクファイルをティッカ表示する（ステップＳ５２）。図１１ではその一例として、第１実施形態の図３に於いて、（ａ）最新のキーワード「クレオパトラ」でＷＷＷ検索される（ｂ）直前にアンド検索された「御室の桜」「鼻」の検索結果から生成された、図４の（ｂ）直前の広告リンクファイルが、図１１のティッカ表示窓２１１にティッカ表示されている様子を表す。符号２１２で指すものが３つの見出し「世界遺産」「御室の桜」「オモロン」の３つの広告リンクであり、これ等は次に説明する制御や操作があるまでループ表示される。
【００４４】  そして（ａ）最新のキーワード「クレオパトラ」でＷＷＷ検索されて、（ａ）最新の広告リンクファイルが「エジプト観光」を見出しとする広告リンクがクライアントに受信されると言う例示のように、次の最新の広告リンクが受信された場合には（ステップＳ５３）、ティッカ表示窓２１１での前記ループ表示は終わりとなり、新たな広告リンクファイルをティッカ表示するが（ステップＳ５２）、最新の広告リンクが受信されない場合で、ティッカ表示窓２１１の右端部に設けたトグルスイッチ２１３がマウスポインタ２０６でクリックされた場合には（ステップＳ５４）、ティッカ表示窓２１１をその場でＵＲＬ入力窓２１０に表示換えする（ステップＳ５５）。なおトグルスイッチ２１３はまたＵＲＬ入力窓２１０をティッカ表示窓２１１に書き換える際にも利用し得る。なおこの他にも、クライアントのキーボードのＣＴＲＬキー２１４が押されると共にＥＮＴＥＲキーが押された場合に、上述した切り替えを行うように設計することなども可能である。
【第４実施形態】
【００４５】  図１３及び図１４を用いてこの実施形態を説明する。この実施形態のクライアントは、ＷＷＷブラウザのアドオンとして設けたキーワード入力窓２１６を表示する場所をティッカ表示窓２２０を表示する場所に設定していることを特徴とする。このキーワード入力窓２１６にキーワード２１７を入力して、キーワード入力窓２１６の右端部に設けた検索ボタン２１８にマウスポインタ２０６を置いてクリックすると、キーワード２１７を検索サーバへ送信する。またキーワード入力窓２１６が広告リンク２２１を表示するティッカ表示窓２２０に書き換わると、右端部に設けた検索ボタン２１８は切替ボタン２２２に書き換わる。この切替ボタン２２２をマウスポインタ２０６を置いてクリックすると、今度はティッカ表示窓２２０がキーワード入力窓２１６に書き換わると共に、切替ボタン２２２も検索ボタン２１８に書き換わるように設計されている。なおティッカ表示窓２２０にはドロワボタン２２３が設けてあり、これにマウスポインタ２０６を置いてクリックすると履歴表示窓２２４が開き、現在の前記広告リンク２２１を含む履歴としての広告リンク２２５が表示される。これ等の広告リンク２２５もハイパーリンク表示されている。
【００４６】  クライアントは、検索サーバから広告リンクファイルを受信したら（ステップＳ６０）、キーワード入力窓２１６をその場所でティッカ表示窓２２０に書き換え（ステップＳ６１）、このティッカ表示窓２２０に広告リンク２２１をティッカ表示する（ステップＳ６２）。次の最新の広告リンクが受信された場合には（ステップＳ６３）、前記ティッカ表示は終わりとなり、新たな広告リンクをティッカ表示するが（ステップＳ６２）、最新の広告リンクが受信されない場合で、ティッカ表示窓２２０の右端部に設けた切替ボタン２２２がマウスポインタ２０６でクリックされた場合には（ステップＳ６４）、前記ティッカ表示を終了させて、ティッカ表示窓２２０をその場でキーワード入力窓２１６に表示換えする（ステップＳ６５）。
【第５実施形態】
【００４７】  図１５及び図１６を用いてこの実施形態を説明する。この実施形態のクライアントは、上述した第４実施形態と同様に、ＷＷＷブラウザのツールバー２２８にアドオンとして設けたキーワード入力窓２２９を表示する場所をティッカ表示窓を表示する場所に設定したものであり、キーワード入力窓２２９にキーワード２３０を入力して検索ボタン２３１にマウスポインタ２０６を置いてクリックすると、キーワード２３０を検索サーバへ送信するが、更に次のような特徴を有する。
【００４８】  すなわちクライアントの表示画面２００に表示したＷＷＷブラウザ２０１には検索結果２２６などのＷＷＷ文書が表示されるが、このＷＷＷ文書上に於いてマウスを用いての任意範囲の文字列の範囲指定操作が行われ（ステップＳ７０）、続いてマウスのクリック操作が行われたら（ステップＳ７１）、この時のマウスポインタ２０６の位置が前記範囲指定操作による指定範囲２２７と重なっているか否かを判定して（ステップＳ７２）、重なっていると判定した場合には、前記指定範囲２２７の文字列をキーワードとして情報サーバへ送信し（ステップＳ７３）、重なっていないと判定した場合には前記指定範囲２２７を解除する（ステップＳ７４）。これによりいま読んでいるＷＷＷ文書中に調べたい言葉を見つけた場合には、それをそのままキーワードとして情報サーバへ送信することが出来るようになる。
【００４９】  なおステップＳ７０で範囲指定操作が行われたら、前記指定範囲２２７を保持したまま、指定範囲２２７の文字列を前記キーワード入力窓２２９に自動的に入力して編集可能とすれば、キーワード入力窓２２９としては更に便利なものとなる。
【００５０】  なお上記では範囲指定操作の操作対象として文字列を扱っているが、画像や音声を視覚化した波形グラフなどを操作対象とすることが可能である。操作対象が画像であれば、指定範囲は基点の座標と共に左右に何ピクセル、上下に何ピクセルなどと指定することが出来る。また操作対象が音声を視覚化した波形グラフであれば、指定範囲は波形グラフのここからここまでなどと指定することが出来る。
【第６実施形態】
【００５１】  図１７を用いてこの実施形態を説明する。クライアントの表示画面２００にＷＷＷブラウザ２０１を表示するが、これとは別にティッカ表示窓２３２をカスケード表示する。このティッカ表示窓２３２に広告リンク２３３をティッカ表示する。このティッカ表示窓２３２では一つ一つの広告リンク２３３が上下方向に並んで、下から上へゆっくりとスクロールするように設計されている。そこで広告リンク２３３にマウスポインタ２０６を置いてマウスをクリックすると、ＷＷＷブラウザ２０１は広告リンク２３３が指すリンク先のＷＷＷ文書すなわち広告主の広告に書き換える。この時点でもまだティッカ表示窓２３２では前記広告リンク２３３のティッカ表示を継続する。なおこのティッカ表示窓２３２は表示画面２００上を移動させることが出来る。
【００５２】  この広告リンク２３３のティッカ表示の他の一例を上げると、このティッカ表示窓２３２に収まるだけの数の広告リンク２３３を１セットとして静止状態で表示し、一定時間が経過したら次の１セットに一斉に切り替えて表示すると言うような処理が可能である。前記一定時間とは例えば一般的なスクロールによるティッカ表示で言うならば、ティッカ表示窓２３２の下に１セットの内の最初の広告リンクが現われて上方へスクロールして行き、１セットの内の最後の広告リンクがティッカ表示窓２３２の上に消えるまでの時間のことである。
【第７実施形態】
【００５３】  クライアントの図示しないティッカ表示部は、ＷＷＷ表示部にアドオンされてアニメーション再生を実行するためのものであり、検索サーバから受信する広告リンクファイルは、後述するティッカ表示窓２３４ごとアニメーションで表示されるアニメーションファイルである。この実施形態は図１８で図示するように、クライアントの表示画面２００にＷＷＷブラウザ２０１を表示するが、これとは別にティッカ表示窓２３４をＷＷＷブラウザ２０１内でフローティング表示する。すなわちティッカ表示窓２３４はＷＷＷブラウザ２０１内であればどこにでも移動させて置くことが出来るようになっている。またティッカ表示窓２３４は上下２段に設けられて、広告リンク２３５は下の段をスクロールし終わったら上の段に移ってスクロールするようになっている。またティッカ表示窓２３４は複数個の広告リンク２３５を表示するものであり、ＷＷＷブラウザ２０１の表示が書き換わったとしても、複数個の広告リンク２３５のティッカ表示を継続するように設計されている。またティッカ表示窓２３４は全体の透過度が変更可能に設けられている。このようにティッカ表示窓２３４は、ティッカ表示される広告リンクごとアニメーションに成るものである。そしてティッカ表示窓２３４でティッカ表示している広告リンク２３５がマウスポインタ２０６で選択されると、ＷＷＷブラウザ２０１は広告リンク２３５が指すリンク先の広告主の広告に表示換えする。しかしながらこの後もティッカ表示窓２３４では前記広告リンク２３５のティッカ表示が継続される。
【その他の実施形態】
【００５４】  この発明は上述した実施形態に拘らないから、例えばどのように情報リンクファイルを生成するかは自由に選択して良く、また生成された情報リンクファイルの書式も図４に例示したもの以外のものであって良い。またユーザーに検索結果から一のリンクを選択させるポインティングデバイスにはマウス以外にもタッチパネルなどを任意に利用して良い。またティッカ表示窓をどこに設けるかについても任意であり、例えばいわゆるタブブラウザのタブの部位にティッカ表示窓を備えたタブを新設するなど自由に設計して良い。
【産業上の利用可能性】
【００５５】  この発明のＷＷＷ検索の検索対象は文書に限られず、辞書、地図、音楽、画像、動画などを検索対象とすることが出来る。ティッカ表示窓に表示する情報リンクは広告に関するものに限定されず、キーワードに関連するニュースや書籍や動画などへの広い用途がある。これ等もまたこの発明の権利範囲である。
【符号の説明】
【００５６】    １：検索サーバ          １０：ＷＷＷ検索部        １１：インデックス
１２：広告リンク生成部    １３：登録リンク表        １４：検索サーバ
１５：ＷＷＷ検索部        １６：インデックス        １７：広告リンク生成部
１８：登録リンク表          ３：インターネット
２：クライアント        ２０：ＷＷＷ表示部        ２１：ティッカ表示部
２２：クライアント        ２３：ＷＷＷ表示部        ２４：ティッカ表示部
２００：表示画面          ２０１：ＷＷＷブラウザ    ２０２：検索結果
２０３：ツールバー        ２０４：ティッカ表示窓    ２０５：広告リンク
２０６：マウスポインタ    ２０７：検索結果表示部    ２０８：広告リンク表示部
２０９：広告リンク        ２１０：ＵＲＬ入力窓      ２１１：ティッカ表示窓
２１２：広告リンク        ２１３：トグルスイッチ    ２１４：ＣＴＲＬキー
２１５：ツールバー        ２１６：キーワード入力窓  ２１７：キーワード
２１８：検索ボタン        ２１９：ツールバー        ２２０：ティッカ表示窓
２２１：広告リンク        ２２２：切替ボタン        ２２３：ドロワボタン
２２４：履歴表示窓        ２２５：広告リンク        ２２６：検索結果
２２７：指定範囲          ２２８：ツールバー        ２２９：キーワード入力窓
２３０：キーワード        ２３１：検索ボタン        ２３２：ティッカ表示窓
２３３：広告リンク        ２３４：ティッカ表示窓    ２３５：広告リンク
２３６：ハイパーリンク
４：キーワードファイル  ４０：キーワード          ４１：登録リンクファイル
４２：キーワード          ４３：アドレス情報        ４４：見出し
４５：順位                ４６：広告リンクファイル
【図１】
2011187038.tif 000003
【図２】
2011187038.tif 000004
【図３】
2011187038.tif 000005
【図４】
2011187038.tif 000006
【図５】
2011187038.tif 000007
【図６】
2011187038.tif 000008
【図７】
2011187038.tif 000009
【図８】
2011187038.tif 000010
【図９】
2011187038.tif 000011
【図１０】
2011187038.tif 000012
【図１１】
2011187038.tif 000013
【図１２】
2011187038.tif 000014
【図１３】
2011187038.tif 000015
【図１４】
2011187038.tif 000016
【図１５】
2011187038.tif 000017
【図１６】
2011187038.tif 000018
【図１７】
2011187038.tif 000019
【図１８】
2011187038.tif 000020